(57)【要約】【課題】  ＰＩＭ―ＳＭによるＩＰマルチキャスト通信システムにおいて、ＢＳＲに障害発生時のネットワーク全体に対する影響を効果的に削減可能なシステムを提供することを目的とする【解決手段】  マルチキャストドメインを所定の区分毎に分割し、分割マルチキャストドメインの各々にＢＳＲを割り当て、ＢＳＲの各々は他のＢＳＲの位置情報と、互いのＣ−ＲＰ情報とを互いに共有する構成とした。【選択図】  図７
2005286908.tif 000002
【特許請求の範囲】
【請求項１】
マルチキャストドメインを所定の区分に分割し、当該分割によって得られた複数の分割マルチキャストドメインの各々に管理ルータを割り当て、管理ルータの各々は、各々が割り当てられた分割マルチキャストドメインに属するマルチキャスト情報源の位置に関する情報を共有する構成とされてなるマルチキャストデータ通信システム。
【請求項２】
前記所定の区分は、マルチキャストドメインを構成するユニキャストドメインの夫々に対応する区分とされてなる付記１に記載のマルチキャストデータ通信システム。
【請求項３】
マルチキャストドメインが所定の区分に分割され、当該分割によって得られた複数の分割マルチキャストドメインの各々に関する管理ルータとして割り当てられ、自己が割り当てられた分割マルチキャストドメインに属するマルチキャスト情報源の位置に関する情報を、他の分割マルチキャストドメインについての管理ルータとして割り当てられたデータ通信装置との間で共有する構成を有するデータ通信装置。
【請求項４】
マルチキャストドメインを所定の区分に分割し、当該分割によって得られた複数の分割マルチキャストドメインの各々に管理ルータを割り当て、管理ルータの各々は、各々が割り当てられた分割マルチキャストドメインに属するマルチキャスト情報源の位置に関する情報を共有する段階よりなるマルチキャストデータ通信方法。
【請求項５】
データ通信装置の動作を制御するコンピュータに実行させる命令よりなるプログラムであって、当該データ通信装置が、マルチキャストドメインが所定の区分に分割され当該分割によって得られた複数の分割マルチキャストドメインの各々に関する管理ルータとして割り当てられた際、各々が割り当てられた分割マルチキャストドメインに属するマルチキャスト情報源の位置に関する情報を共有する段階をコンピュータに実行させるための命令よりなるプログラム。
【発明の詳細な説明】
【技術分野】
【０００１】
本発明はマルチキャストデータ通信システム、同システムに適用可能なデータ通信装置、マルチキャストデータ通信方法及び同方法をコンピュータに実行させるためのプログラムに関する。
【背景技術】
【０００２】
近年高度情報化社会の発達と共に大容量情報伝達媒体としての光ファイバが全国に張巡らされ、これに伴いＩＰネットワークの高速大容量化が進み、動画像配信サービスやネットワークゲーム等、ＩＰマルチキャスト通信技術を適用したデータ通信が広範囲に普及している。ＩＰマルチキャスト通信技術の一つとして、ネットワークのトラフィックを効率的に使用することを可能にする技術として、所謂ＰＩＭ−ＳＭ（プロトコル・インデペンデント・マルチキャスト・スパース・モード）のプロトコルによるマルチキャスト方式（即ち，ＰＩＭ―ＳＭのＢＳＲ方式）がその代表的な技術として知られており、現在多くのＩＰマルチキャストネットワークにおいて適用されている。
【０００３】
このＰＩＭ−ＳＭのＢＳＲ方式では、ＩＰマルチキャスト通信の対象となるＩＰマルチキャストドメインに対し、一台のＢＳＲ（ブートストラップルータ）が割り当てられ、そのドメイン内のＣ−ＲＰ（ランデブーポイント候補）情報を管理する構成とされている。このような方式では、その対象ＩＰマルチキャストドメインの規模が拡大するにつれ、そのＢＳＲの障害発生時の影響範囲が拡大する傾向にある。又、当該ＩＰマルチキャストドメインに包含されるＩＰユニキャストドメインとの管理範囲の違いによるネットワーク運用の困難性が考えられる。
【０００４】
以下にこのＰＩＭ―ＳＭのＢＳＲ方式について詳細に述べる。この方式は、ＩＰマルチキャストドメイン内の各Ｃ−ＢＳＲ（ＢＳＲ候補）から、そのプライオリティが最大のもの（プライオリティが同一の場合は、ＩＰアドレスが最大のもの）がＢＳＲとして選出され、その後このＢＳＲに対し、各Ｃ−ＲＰ（ＲＰ候補）たるＬ３−ＳＷ又はルータがそのＣ−ＲＰ情報を通知する。その後ＢＳＲは、受信したＣ−ＲＰ情報をまとめＢＳＲメッセージとしてＩＰマルチキャストドメイン内にフラッティングする。その結果各Ｌ３−ＳＷおよびルータは、ＩＰマルチキャストドメイン内全てのＣ−ＲＰ情報を認識することができるようになる。各Ｌ３−ＳＷおよびルータは、このＣ−ＲＰ情報を基にしてマルチキャストデータの送信および受信要求を行い、もってマルチキャストデータ通信が可能となる。
【０００５】
ここで上記の如くＩＰマルチキャストドメイン内に存在し得るＢＳＲは１台のみであるため、複数のＩＰユニキャストドメインを包含してＩＰマルチキャストドメインが構成された場合、それらを含んだＩＰマルチキャストドメインを一台のＢＳＲが担当することとなる。
【０００６】
以下に、図と共にＰＩＭ―ＳＭのＢＳＲ方式によるマルチキャスト通信において、実際にマルチキャスト通信が可能となるまでの過程につき、順を追って説明する。
（１）ステップ１：ＢＳＲ選出前動作
図１に示す如く、各Ｃ−ＢＳＲとしてのＬ３−ＳＷ（レイヤ３スイッチ）１１１乃至１１９が、該当するＩＰマルチキャストドメイン内にＢＳＲメッセージをフラッディングすることにより、予め割り当てられている互いのプライオリティの比較を行う。
（２）ステップ２：ＢＳＲ選出動作
その結果、図２に示す如く、各Ｃ−ＢＳＲ中、最大のプライオリティを有するＬ３−ＳＷ１１１がＩＰマルチキャストドメイン内のＢＳＲとして動作することになる。
（３）ステップ３：Ｃ−ＲＰの通知
図３に示す如く、上記ＢＳＲとして選定されたＬ３−ＳＷ１１１以外の各Ｌ３−ＳＷ１１２乃至１１９は以後Ｃ−ＲＰ（ランデブーポイント候補）として動作し、ＢＳＲ１１１に対し、自己が有するＣ−ＲＰ情報（ＭＣグループ「ｂ」、「ｃ」、「ｄ」、「ｅ」、「ｆ」、「ｇ」、「ｈ」）の通知を行う。その結果ＢＳＲ１１１は当該ＩＰマルチキャストドメイン内全てのＣ−ＲＰ情報（ＭＣドメイン内Ｃ−ＲＰ情報テーブル）を収集することが可能となる。ここでＣ−ＲＰ情報とは、特定のマルチキャスト情報源に対し、その該当する情報を受信するためのアクセスに必要となるＩＰアドレス等の情報を指す。
（４）ステップ４：ＲＰ情報のフラッディング
ＢＳＲ１１１が、上記ステップ３にて収集したＩＰマルチキャストドメイン内の全てのＣ−ＲＰ情報（ＭＣドメイン内Ｃ−ＲＰ情報テーブル）をフラッディングすることにより、この情報を各Ｃ−ＲＰ１１２乃至１１９に対して通知する。これを受信した各Ｌ３−ＳＷ１１２乃至１１９は、当該受信Ｃ−ＲＰ情報（ＭＣドメイン内Ｃ−ＲＰ情報テーブル）に対してハッシュ演算を施すよってＲＰの位置情報を認識する。その結果、実際のＩＰマルチキャスト通信が可能な状態となる。即ち、特定のマルチキャスト情報源から情報を受信する際、受信端末は何れかのＬ３−ＳＷにアクセスすることで該当する情報源にアクセスするためのＲＰの位置情報を得ることが出来、以後そのＲＰを介して当該情報源からのマルチキャスト情報の受信が可能となる。
【特許文献１】特開２００１−２４４９７８号公報
【特許文献２】特開２００３−３２２９９号公報
【発明の開示】
【発明が解決しようとする課題】
【０００７】
このようにしてマルチキャスト通信が可能となった状態において、ＢＳＲとして動作中のＬ３−ＳＷ１１１に障害が発生した場合、他のＬ３−ＳＷに対してＢＳＲとしての地位を委譲する必要があるが、そのためのＢＳＲ切替え動作中、当該ＢＳＲが管理しているＩＰマルチキャストドメイン内のマルチキャストデータ通信全体に影響が及び、マルチキャスト通信が不可能な状態が生ずる。又、障害中のＢＳＲが復旧した場合においても、マルチキャストデータ通信全体に影響が及び、やはりマルチキャスト通信不可状態が発生する。
【０００８】
ネットワークの運用上、通常はＩＰマルチキャストドメインが包含するＩＰユニキャストドメインＤ１，Ｄ２，Ｄ３単位にネットワークの管理運用が行われるため、上記の如くＩＰマルチキャスト通信不可状態が発生した場合、各ＩＰユニキャストドメイン内の障害切り分け処理に時間を要することが考えられ、ネットワーク運用管理上問題となる虞がある。以下にこのようなＢＳＲ障害時のＢＳＲ切替え動作について説明する。
（１）ステップ１：ＢＳＲ障害発生
図５に示す如く、ＢＳＲとして動作中のＬ３−ＳＷ１１１に障害が発生した場合、このＢＳＲが管理しているＩＰマルチキャストドメイン内のマルチキャスト通信全体に影響が及ぶ。このネットワークでは、実際にネットワーク管理者が管理する範囲はＩＰマルチキャストドメインを構成する個々のＩＰユニキャストドメインＤ１，Ｄ２，Ｄ３であり、これがＩＰマルチキャストドメインと一致していない。このため、ＩＰマルチキャスト通信不可の障害切り分け、即ち、ＢＳＲの障害による影響が及ぶ範囲を最小限に限定するための処理に時間を要することが考えられる。
（２）ステップ２：ＢＳＲ切替え動作
図６に示す如く、上記Ｌ３−ＳＷ１１１の障害により、ＢＳＲからのＢＳＲメッセージが一定時間他のＬ３−ＳＷに届かないこととなる。そしてこれが検出され、各Ｌ３−ＳＷ１１２乃至１１９間でＢＳＲの再選出を行う処理が起動される。尚、この際の処理は、上記図１，図２と共に説明したステップ１，２と同様の動作となる。この結果、プライオリティの高いＬ３−ＳＷ１１２及びＬ３−ＳＷ１１４がＢＳＲとして選出され、ＢＳＲドメインが２つとなる。その後、上記図３，図４と共に説明したステップ３，４が実施される。これにより、上記二つのＩＰマルチキャストドメインの夫々においてＩＰマルチキャスト通信が可能となる。
【０００９】
このような、ＢＳＲ障害発生時の問題を解決するための方策として、対象ＩＰマルチキャストドメインを分割し、その結果得られる各分割ＩＰマルチキャストドメインの夫々に対してＢＳＲを設けることが考えられる。このように構成することにより、各ＢＳＲによるネットワーク運用管理範囲を、当該マルチキャストドメインを構成する個々のＩＰユニキャストドメインと同様、もしくはそれ以下にすることが可能となる。このＩＰマルチキャストドメインを分割する方式としては、所謂ＭＳＤＰ或いはＤＶＭＲＰを使用する方式がある。しかしながら上記の如く多くのＩＰマルチキャストネットワークで使用されているＰＩＭ−ＳＭのＢＳＲ方式に適合したＩＰマルチキャストドメイン分割方式は未だ存在しない。そのため、ＰＩＭ−ＳＭのＢＳＲ方式を適用したマルチキャスト通信システムに上記ＭＳＤＰ或いはＤＶＭＲＰを適用するとした場合、ＩＰマルチキャストネットワークに対する大きな変更が必要となると考えられる。
【００１０】
本発明は上記問題点に鑑み、ＰＩＭ―ＳＭのＢＳＲ方式に対しても適用可能な、マルチキャストドメインを分割し効果的に危険分散を図り得るマルチキャストデータ通信システムを提供することを目的とする。
【課題を解決するための手段】
【００１１】
本発明では、マルチキャスト通信の対象とするマルチキャストドメインを所定の区分毎に分割し、当該分割によって得られた複数の分割マルチキャストドメインの各々に管理ルータを割り当て、管理ルータの各々は、各々が属する分割マルチキャストドメインのマルチキャスト情報源の位置に関する情報を共有する構成を設けた。
【００１２】
このように構成することにより、マルチキャストドメインを分割しても、夫々の分割マルチキャストドメインに割り当てられた管理ルータ間で互いに分割マルチキャストドメイン内のマルチキャスト情報源の位置情報を共有するため、各受信端末は、分割前のマルチキャストドメイン全体を通じてマルチキャスト情報源の利用が可能となる。
【００１３】
又、上記マルチキャスト分割では、全体のマルチキャストドメインを、当該マルチキャストドメインを構成するユニキャストドメイン毎に、或いは更に細かく分割することが望ましい。その結果、何れかの管理ルータに障害が発生した場合、その管理ルータ配下の分割マルチキャストドメイン単位に障害の切り分け処理を行なうことが可能となり、当該障害の影響が及ぶ範囲を効果的に抑えることが可能となる。即ち、上記管理ルータ間の情報の共有により、各管理ルータが分割前のマルチキャストドメイン全体を通じたマルチキャスト情報源の位置情報を把握している。その結果、上記障害後も、各受信端末は他の非障害管理ルータの利用により、引き続き分割前のマルチキャストドメイン全体（但し上記障害切り分け処理によって一時的に除外された範囲を除く）を通じてマルチキャスト通信の続行が可能となる。即ち、通常ネットワーク管理者はマルチキャストドメインを構成する各ユニキャストドメイン毎に割り当てられており、障害発生時に自己の管轄内のユニキャストドメインについて障害切り分け処理を行なうことは比較的容易と考えられる。このため、障害発生時の対応が迅速に行え、更に、切り分け後は、その切り分けられた外側の範囲においては引き続きマルチキャスト通信の続行が可能となるのである。
【発明の効果】
【００１４】
このように、本発明によれば、マルチキャスト通信の方式として広く適用されているＰＩＭ―ＳＭのＢＳＲ方式においても、ＢＳＲの障害発生時にその影響を最小限とし得るシステムを比較的容易に構築可能である。
【発明を実施するための最良の形態】
【００１５】
以下、図面と共に本発明の一実施例になるマルチキャストデータ通信システムにつき、詳細に説明する。
【００１６】
本発明の実施例では、ＩＰマルチキャストネットワークのＰＩＭ−ＳＭのＢＳＲ方式においてＩＰマルチキャストドメインを分割した上で分割前のマルチキャスト通信適用範囲を維持するための方式として、分割マルチキャストドメイン毎に設けたＢＳＲ間でのＣ−ＲＰ情報を交換する機能を設けた。
【００１７】
本来ＢＳＲ（ブートストラップルータ）を使用したＰＩＭ−ＳＭのＩＰマルチキャストネットワークでは、１台のＢＳＲにて当該ＩＰマルチキャストドメインに関する全Ｃ−ＲＰ（ランデブーポイント）情報を一括管理する必要があった。このため、ＩＰマルチキャストドメインが複数のＩＰユニキャストドメイン（即ちネットワーク管理者による直接管理対象範囲）によって構成される場合、これらＩＰユニキャストドメインがＩＰマルチキャストドメインと一致しないこととなる。即ち、複数の異なるＩＰユニキャストドメインを包含する場合であっても、１台のＢＳＲでそこに属する全Ｃ−ＲＰ情報を管理するため、上記の如く、ネットワーク運用上問題が発生する可能性があった。
【００１８】
これ対して本発明の実施例では、ＢＳＲ間でＣ−ＲＰ情報を交換す機能を設けることで、ＩＰマルチキャストドメインを構成する各ＩＰユニキャストドメインと同様の範囲毎にＩＰマルチキャストドメインを分割した上で分割前のマルチキャスト通信適用範囲を維持することを可能にする。
【００１９】
具体的には、各ＢＳＲに後述する「ＢＳＲピアテーブル部」を設け、ここに他の分割ＩＰマルチキャストドメインのＢＳＲ（以下、「ＢＳＲピア」と称する）に関する情報を設定する機能を設ける。又、「ＢＳＲ状態確認部」を設け、他の分割ＩＰマルチキャストドメインのＢＳＲ状態を周期的にＩＰパケットで確認し、そこで得られた情報により、上記「ＢＳＲピアテーブル部」に各ＢＳＲピアの状態を登録管理する機能を設ける。
【００２０】
更に、自己の分割ＩＰマルチキャストドメイン内のＣ−ＲＰ情報を、上記「ＢＳＲピアテーブル部」上で管理されている「ＢＳＲ稼働」状態の全てのＢＳＲピアに対しＩＰパケットにより配信し、配信確認を実施する機能部として「ＲＰ情報配信部」を設ける。又、他の分割ＩＰマルチキャストドメインのＢＳＲピアが有する「ＲＰ情報配信」から上記の如く配信されたＣ−ＲＰ情報を受信した場合、これを登録し、配下のＬ３−ＳＷに対して配信する「Ｃ−ＲＰ情報テーブル」を設ける。
【００２１】
以下、このような構成を有する本発明の実施例につき、詳細に説明する。
【００２２】
本発明の実施例では図１０に示す如く、ＩＰマルチキャストドメインを構成するＩＰユニキャストドメインＤ１，Ｄ２，Ｄ３に対応させ、それらと同範囲となるようにＩＰマルチキャストドメインを分割し、夫々分割ＩＰマルチキャストドメインＤＡ，ＤＢ，ＤＣとする。そして、夫々の分割ＩＰマルチキャストドメインについて、ＢＳＲを割り当てる。即ち、ＩＰマルチキャストドメインＤＡについて、Ｌ３−ＳＷ１１をＢＳＲとして割り当て、ＩＰマルチキャストドメインＤＢについて、Ｌ３−ＳＷ１２をＢＳＲとして割り当て、ＩＰマルチキャストドメインＤＣについて、Ｌ３−ＳＷ１３をＢＳＲとして割り当てる。
【００２３】
図７は、この内、一つのＢＳＲに注目して示しており、例えば図中、ＩＰマルチキャストドメインＤ１１，Ｄ１２，Ｄ１３が夫々図１０のＩＰマルチキャストドメインＤＡ，ＤＢ，ＤＣに対応し、装置３１が図１０におけるＬ３−ＳＷ１１に対応し、装置３２がＬ３−ＳＷ１３に対応し、装置３３がＬ３−ＳＷ１３に対応し、装置３４がＬ３−ＳＷ１９に対応する。又、図１０の構成は背景技術の項にて上述したシステムと同様であり、Ｌ３−ＳＷ１１乃至１９は、夫々図１等におけるＬ３−ＳＷ１１１乃至１１９に対応する。但し、Ｌ３−ＳＷ１１乃至１９は、夫々本発明の実施例による「ＢＳＲピア機能」が実装される点が異なる。
【００２４】
以下、図７に戻って説明を続行する。即ち、分割ＩＰマルチキャストドメインＤ１１，Ｄ１２，Ｄ１３の夫々に属するＬ３−ＳＷ，ルータ及びサーバの内、ＢＳＲとして動作し得るデータ通信装置３１，３２，３３，３４を選定し、それらについて上記ＢＳＲピア機能部Ｐ３１、Ｐ３２，Ｐ３３、Ｐ３４を設ける。そして、それらの内、実際にＢＳＲとして選定される各装置３１，３２，３３は、ＢＳＲ間通信にて互いに他のＢＳＲが有するＣ−ＲＰ情報（例えば図７中、該当ドメインＤ１１に属するＣ−ＲＰ、Ｒ１１に関する情報としてのＲＰ情報テーブルＴ１，Ｔ２）を配信し合うことでその情報を共有する。
【００２５】
即ち、各ＢＳＲは分割前のＩＰマルチキャストドメイン全体（ドメインＤ１２，Ｄ１３を含む）に対して自己のＣ−ＲＰ情報を配信し、各ＢＳＲ３１，３２，３３では、このようにして配信された他の分割ＩＰマルチキャストドメインに属するＣ−ＲＰ情報を受け、これを自己のドメインに属するＲＰ情報テーブルＴ２と共に、ＲＰ情報テーブルＴ１として登録し管理する。そして各ＢＳＲは配下のＬ３−ＳＷ又はルータに対してこのＣ−ＲＰ情報を配信して周知を図る。
【００２６】
このような機能を分割マルチキャストドメインの各ＢＳＲ３１，３２，３３に持たせることにより、分割ＩＰマルチキャストドメインＤ１１，Ｄ１２，Ｄ１３を、元々のＩＰユニキャストドメインＤ１，Ｄ２，Ｄ３と同範囲に設定しても、各受信端末は所定のＬ３−ＳＷ等にアクセスすることにより、分割前のＩＰマルチキャストドメイン全体のＣ−ＲＰ情報が利用可能となる。
【００２７】
以下、上記分割ＩＰマルチキャストドメインの各ＢＳＲが有する機能につき、個別的に説明する。
【００２８】
先ず、ＢＳＲピア機能部Ｐ３１，Ｐ３２，Ｐ３３，Ｐ３４の各々は、ＢＳＲピアテーブル部５３，ＢＳＲ状態確認部５１及びＲＰ情報配信部５２を有する。この内、ＢＳＲピアテーブル部５３は、ＢＳＲピア、即ち、図７の例の場合、３２，３３，３４等に関する情報として、ＢＳＲ番号、そのＩＰアドレス及びそのＢＳＲとしての動作状態を管理するテーブルである。図７の例の場合、装置３１のＢＳＲピアテーブル部が登録・管理しているＢＳＲピアテーブルＴ３には、図示の如く、夫々のＢＳＲ番号、ＩＰアドレスと共に、装置３２（ＢＳＲ＃２）及び装置３３（ＢＳＲ＃３）については、夫々ＢＳＲとして稼働中である旨が登録されている。又、装置３４（ＢＳＲ＃４）については、Ｃ−ＢＳＲ，即ち上記装置３３と同一の分割マルチキャストドメインＤ１３に属しており、ここでは装置３３が正規のＢＳＲとして選択されているため、「ＢＳＲ候補」として登録されている。又、図示しない装置（ＢＳＲ＃５）については、データ通信装置として稼働していない（ＤＯＷＮ）ことが登録されている。
【００２９】
次に、ＢＳＲ状態確認部５１は、上記ＢＳＲピアテーブルＴ３で管理しているＢＳＲの状態を周期的に確認する機能を有する。尚、当該確認処理は通常のＩＰパケットを利用して行うため、同機能を特にサポートしていないＬ３−ＳＷ，ルータは、この確認用ＩＰパケットを受信した場合通常のＩＰパケットとしてルーティングを行うこととなる。
【００３０】
又、ＲＰ情報配信部５２は、自己の分割ＩＰマルチキャストドメイン（例えばＤ１１）内のＣ−ＲＰ情報を、当該分割ＩＰマルチキャストドメイン外（Ｄ１２，Ｄ１３等）のＢＳＲピア、即ち、装置３１からは装置３２，３３，３４に対して配信する機能を有する。更にＲＰ情報配信部５３は、自己の分割ＩＰマルチキャストドメイン外（Ｄ１２，Ｄ１３等）のＢＳＲピア（装置３２，３３、３４）から上記同様にして配信された他の分割ＩＰマルチキャストドメインに属するＣ−ＲＰ情報を収集し、自装置が有するＣ−ＲＰ情報管理テーブル５４へ登録すると共に、自己の分割ＩＰマルチキャストドメイン内のＣ−ＲＰたるＬ３−ＳＷ、ルータ等に対して配信する機能を有する。
【００３１】
このような構成により、本発明の実施例では、以下の動作を通じ、本発明の実施例によるマルチキャストデータ通信システムが所期の機能を発揮し得る状態となる。
【００３２】
図１０は、Ｌ３−ＳＷ或いはルータによるシステム構成例（全Ｃ−ＢＳＲがＢＳＲピア機能を実装する例）を示す。この場合、ＩＰマルチキャストドメインを分割し、分割後の個々の分割ＩＰマルチキャストドメインが個々のＩＰユニキャストドメインと同様の範囲を有する要に構成した上で元のＩＰマルチキャストドメイン全体を通じたマルチキャスト通信を可能とするため、Ｌ３−ＳＷによるＢＳＲ候補（Ｃ−ＢＳＲ）としてのデータ通信装置１１乃至１９の各々に、上記ＢＳＲピア機能を実装する。
【００３３】
尚、この場合、図７と共に説明したＢＳＲピア機能、即ちＢＳＲピア機能部Ｐ３１，Ｐ３２，Ｐ３３，Ｐ３４及びＣ−ＲＰ情報テーブル５４の機能は、コンピュータにこれらの機能を実行させる命令よりなるプログラムを作成し、このプログラムを、該当するＬ３−ＳＷ，ルータ、サーバ等のデータ通信装置を制御するコンピュータに実行させることにより実現させることが可能である。
【００３４】
以下、当該システムの動作概要を説明する。ＩＰマルチキャストドメインを分割し、分割前のＩＰマルチキャストドメインを構成する各ＩＰユニキャストドメインと同様の範囲の分割ＩＰマルチキャストドメインによるシステムを実現するため、夫々のＩＰユニキャストドメインＤ１，Ｄ２，Ｄ３単位にＢＳＲ（上記ＢＳＲピア機能内蔵）を複数設定する。そして夫々の分割ＩＰマルチキャストドメインＤＡ，ＤＢ，ＤＣ間で、各ＢＳＲが互いにＢＳＲピアとして認識可能な設定（即ちＢＳＲピアテーブルＴ３の登録管理）を行なうことにより、各ＢＳＲピアが所有しているＣ−ＲＰ情報の配信と収集を行い、もって上記ＢＳＲピア機能を実現する。
【００３５】
そして各ＢＳＲピアは、上記ＢＳＲピア機能によって収集した他の分割ＩＰマルチキャストドメインに関するＣ−ＲＰ情報と、自己の分割ＩＰマルチキャストドメイン内のＣ−ＲＰたるデータ通信装置から受信したＣ−ＲＰ情報とを自装置内のＣ−ＲＰ情報テーブル５４に登録すると共に、自己が管轄する分割ＩＰマルチキャストドメイン内の他のＬ３−ＳＷ等に対し、これを配信する。
【００３６】
即ち図１０の例では、各分割ＩＰマルチキャストドメインＤＡ，ＤＢ，ＤＣの夫々に属するＬ３−ＳＷ１１乃至１９間で、まずＢＳＲ状態確認部５１の機能により、互いのＢＳＲに関する状態を通知し合うことで各分割ＩＰマルチキャストドメインＤＡ，ＤＢ，ＤＣの各々につきＢＳＲを設定（選定）する。具体的には、背景技術の項で上述した如く、各装置に予め割り当てられているプライオリティを比較し合い、各分割ＩＰマルチキャストドメインＤＡ，ＤＢ，ＤＣの各々について、最高のプライオリティを有する装置１１，１２，１３が、夫々の分割ＩＰマルチキャストドメインＤＡ，ＤＢ，ＤＣについてのＢＳＲとして選定され、その旨が登録される。尚、他のデータ通信装置は各々ＢＳＲ候補（Ｃ−ＢＳＲ）として登録される（図７のＴ３参照）。
【００３７】
次に、登録された各分割ＩＰマルチキャストドメインのＢＳＲ１１，１２、１３は、各々自己が管轄する分割ＩＰマルチキャストドメイン内のＣ−ＲＰ情報を収集する。その後、今度はＢＳＲピア１１，１２，１３間で、各々自己が有するＣ−ＲＰ情報を交換する。その結果、各ＢＳＲ１１，１２，１３は、自己の分割ＩＰマルチキャストドメインのみでなく、他の分割ＩＰマルチキャストドメインに関するＣ−ＲＰ情報をも持つようになる。
【００３８】
その結果、本来のＩＰマルチキャスト通信の対象であるＩＰマルチキャストドメインを、それを構成する個々のＩＰユニキャストドメインＤ１，Ｄ２，Ｄ３と同範囲の分割ＩＰマルチキャストドメインＤＡ，ＤＢ，ＤＣに分割した場合であっても、これら分割ＩＰマルチキャストドメインを通じたＩＰマルチキャスト通信、即ち、背景技術にて前述した如く、全てのＩＰユニキャストドメインに対し、これらを全て包含する一つのＩＰマルチキャストドメインとして運用した場合と同様の機能を確保することが可能となる。
【００３９】
以下、これらのＢＳＲピア機能動作につき、図８，図９のフローチャートと共に更に詳細に説明する。
【００４０】
図８は、上述の「ＢＳＲピア機能」（即ち、上記ＢＳＲピア機能部Ｐ３１及びＣ−ＲＰテーブル５４による機能）を内蔵したＬ３−ＳＷ，ルータ又はサーバ（例えば図７中、データ通信装置３１）によるＣ−ＲＰ情報配信動作のフローチャートを示す。
【００４１】
図８のステップＳ１にてＢＳＲピア、即ち元々のＩＰマルチキャストドメインが分割されたことによる分割ＩＰマルチキャストドメインの夫々について、ＢＳＲとして動作する装置の登録を行なうための動作を起動する。ステップＳ２にて、Ｃ−ＢＳＲとして予め登録されている装置（Ｌ３−ＳＷ，ルータ或いはサーバ）同士が、分割ＩＰマルチキャストドメイン内でＢＳＲメッセージをフラッディングする。そしてステップＳ３にて、当該ＩＰマルチキャストドメイン内で自装置が最大のプライオリティを有するか否かを判定する。その結果、自装置が「最大」と判定されればステップＳ４に移り、以後ＢＳＲとして動作する。
【００４２】
他方、「最大」でなかった場合、ステップＳ９にて、以後Ｃ−ＢＳＲとして動作する。但し、この場合、Ｃ−ＢＳＲはＢＳＲからのＢＳＲメッセージを監視しており、ＢＳＲからのＢＳＲメッセージが一定時間受信されなかった場合には、ＢＳＲに障害発生と判断し、ステップＳ２に戻り，再度ＢＳＲメッセージのフラッディングを行なう。
【００４３】
ステップＳ４以降、ＢＳＲとして動作している装置は、ステップＳ１０にて、ＢＳＲメッセージをフラッディングすることで、同一分割ＩＰマルチキャストドメイン内のＣ−ＲＰたる他のデータ通信装置（Ｌ３−ＳＷ，ルータ等）からＣ−ＲＰメッセージを受信する。そして受信したＣ−ＲＰ情報を、ステップＳ１２にて、図７に示すＣ−ＲＰ情報テーブル５４中、「マルチキャスト内Ｃ−ＲＰ情報テーブルＴ２に記録する。
【００４４】
又、ＢＳＲとして動作している装置は、ステップＳ５にて、そのＢＳＲ状態確認部５１の機能により、ＢＳＲピア、即ち、元々のマルチキャスト通信対象のＩＰマルチキャストドメインに属する他の分割ＩＰマルチキャストドメインを管轄するＢＳＲに対し、順次、ＢＳＲ状態確認のための問い合わせを行なう。
【００４５】
そしてステップＳ６にて、当該ＢＳＲピアの状態がＢＳＲ稼働状態か否かを判定する。その結果、正規ＢＳＲ稼働状態でなかった場合、ステップＳ１３に移行し、そこで得られた状態をＢＳＲピアテーブルＴ３に反映した後、ステップＳ５に戻り、定期的にＢＳＲピア状態確認動作（即ち他の分割ＩＰマルチキャストドメインを管轄するＢＳＲの状態を確認する動作）を繰り返す。尚、繰り返しの周期は例えば３０秒間とされる。
【００４６】
ステップＳ７の判定の結果、相手のＢＳＲピアの状態が正規のＢＳＲとしての稼働状態であった場合、ステップＳ７にて、自装置内のＣ−ＲＰ情報テーブル５４内の「マルチキャスト内Ｃ−ＲＰ情報テーブル」、即ち、自己が管轄する分割ＩＰマルチキャストドメイン内のＣ−ＲＰ情報であり、ステップＳ１０乃至Ｓ１２にて収集した情報を、ＲＰ情報配信部５２に転送する。そしてステップＳ８にて、ＲＰ情報配信部５２は、ＢＳＲピアテーブルＴ３上で、その状態が「ＢＳＲ」として登録されているＢＳＲピア、即ち、ステップＳ７の判定で「ｂＳＲとして稼働中」と判定されたＢＳＲピアに対し、ＩＰユニキャストパケットにて、ステップＳ７にて転送されてきた自ＩＰマルチキャストドメイン内のＣ−ＲＰ情報を転送する。その後、上記同様、ステップＳ５に移行し、上述の動作を繰り返す。
【００４７】
図９は、ＢＳＲピア機能内蔵Ｌ３−ＳＷ，ルータ又はサーバ（データ通信装置）による、Ｃ−ＲＰ情報受信動作のフローチャートを示す。同図中、ステップＳ３１乃至Ｓ３３、Ｓ３４，Ｓ３７の動作は、夫々、図８と共に説明したステップＳ１乃至Ｓ３，Ｓ９，Ｓ４の動作と同様であり、その説明を省略する。
【００４８】
ステップＳ３５にて、Ｃ−ＢＳＲとして動作中、他の分割ＩＰマルチキャストドメインのＢＳＲピアから自装置内のＢＳＲ状態確認部５１に対してＢＳＲ状態問い合わせのメッセージ（図８のステップ５によって送信されたメッセージ）を受信すると、ステップＳ３６にて、自装置がＣ−ＢＳＲである旨返信する。これを受けた相手のＢＳＲは図８のステップＳ６を経てステップＳ１３に移行することになる。その後、ＢＳＲからステップＳ３５におけるＢＳＲ状態確認メッセージが受信されないまま所定時間経過した場合に、ステップＳ３２に戻って再度ＢＳＲメッセージをフラッディングする点は、図８の場合と同様である。
【００４９】
ＢＳＲとして動作している場合には、ステップＳ３８にて、上記ステップＳ３５同様、他の分割ＩＰマルチキャストドメインのＢＳＲピアから自装置内のＢＳＲ状態確認部５１に対してＢＳＲ状態問い合わせのメッセージ（図８のステップ５によって送信されたメッセージ）を受信すると、ステップＳ３９にて、自装置が正規のＢＳＲとして稼働中である旨返信する。これを受けた相手のＢＳＲは図８のステップＳ６を経てステップＳ７に移行することになる。更にステップＳ３９にて、当該ＢＳＲピアに対し、Ｃ−ＲＰ情報を要求するメッセージを送信する。
【００５０】
これを受けた相手のＢＳＲは図８のステップＳ７、Ｓ８を経て自己の分割ＩＰマルチキャストドメインのＣ−ＲＰ情報を発信する。当該ＢＳＲはこれをＲＰ情報配信部５２にて受信し（図９のステップＳ４０）、次にステップＳ４１にて、その内容を自装置内Ｃ−ＲＰ情報テーブル５４に転送して「マルチキャストドメイン外Ｃ−ＲＰ情報テーブル」に登録する。そして、受信完了メッセージを相手のＢＳＲに対して返信する。
【００５１】
上述の図８．図９の動作を経て、各分割ＩＰマルチキャストドメインの夫々を管轄するＢＳＲは他の分割ＩＰマルチキャストドメインを管轄するＢＳＲピアの状態を確認しながらＣ−ＲＰ情報を定期的に交換し合い、もって常に異なる分割ＩＰマルチキャストドメインを通じたデータ配信を含むＰＩＭ―ＳＭのＢＳＲ方式によるＩＰマルチキャスト通信機能が正常に維持されることになる。
【００５２】
図１１は、本発明の他の実施例よりなるマルチキャストデータ通信システムのブロック図である。この例は、上記同様Ｌ３−ＳＷ，ルータ又はサーバでのシステム構成例であるが、その一部のＣ−ＢＳＲのみがＢＳＲピア機能実装する例である。即ちこの例では、ネットワークを構成する各Ｃ−ＢＳＲたるデータ通信装置が必ずしも上記ＢＳＲピア機能を実装することなく、ＩＰマルチキャストドメインを分割し、分割後の個々のＩＰマルチキャストドメインを個々のＩＰユニキャストドメインと同様の範囲のものとした上で、元のＩＰマルチキャストドメイン全体を通じたＩＰマルチキャスト通信を実現し得るシステムを構築する。この場合、各分割ＩＰマルチキャストドメインＤＡ，ＤＢ，ＤＣに、上記ＢＳＲピア機能を実装したＬ３−ＳＷ、ルータ、又はサーバを設置する。以下にこの場合のシステムの動作概要を説明する。
【００５３】
個々のＩＰユニキャストドメインと同様の範囲を有する分割ＩＰマルチキャストドメインによるシステムを構築するため、夫々の分割ＩＰユニキャストドメインにＣ−ＢＳＲたるデータ通信装置（ＢＳＲピア機能非対応）を複数台設定する。そして、各分割ＩＰマルチキャストドメインにＢＳＲピア機能内蔵のＬ３−ＳＷ，ルータ又はサーバよりなるデータ通信装置ＳＡ１，ＳＡ２，ＳＡ３を別途設置し、それらに対し、各分割ＩＰマルチキャストドメイン内で最高のＢＳＲプライオリティを設定する。
【００５４】
そして夫々の分割ＩＰマルチキャストドメインＤＡ，ＤＢ，ＤＣ間で上記データ通信装置ＳＡ１，ＳＡ２，ＳＡ３によるＢＳＲピア機能により、これら各ＢＳＲが所有しているＣ−ＲＰ情報の配信と収集を行う。そしてこれら各ＢＳＲは、ＢＳＲピア機能によりで収集した他の分割ＩＰマルチキャストドメインのＣ−ＲＰ情報と自己の分割ＩＰマルチキャストドメイン内のＣ−ＲＰたるデータ通信装置から受信したＣ−ＲＰ情報とを、自己の分割ＩＰマルチキャストドメイン内の他のＬ３−ＳＷに配信する。
【００５５】
即ち、図１０と共に説明した実施例と異なるのは、各分割ＩＰマルチキャストドメインＤＡ，ＤＢ，ＤＣの各々につき、常にＢＳＲとして動作する装置ＳＡ１，ＳＡ２，ＳＡ３を設定する点である。この実施例では、必ずしも全てのＣ−ＢＳＲたるデータ通信装置に上記ＢＳＲピア機能を実装する必要がないため、システム構築に要する費用、時間等を効果的に節減可能と考えられる。
【００５６】
上記本発明の実施の形態により、ＰＩＭ−ＳＭのＢＳＲ方式適用のＩＰマルチキャストドメインをＩＰユニキャストドメインと同様の範囲に分割して運用することにより、ＢＳＲ障害時の影響波及の抑制及びネットワーク管理，運用性の向上を図ることが可能となる。
【００５７】
尚、上記実施例に限れられず、本発明の基本思想にしたがって他の様々な実施例が導出可能であることは言うまでもない。
【００５８】
又、本発明は、以下の付記に記載の構成を含む。
（付記１）
マルチキャストドメインを所定の区分に分割し、当該分割によって得られた複数の分割マルチキャストドメインの各々に管理ルータを割り当て、管理ルータの各々は、各々が割り当てられた分割マルチキャストドメインに属するマルチキャスト情報源の位置に関する情報を共有する構成とされてなるマルチキャストデータ通信システム。
（付記２）
前記所定の区分は、マルチキャストドメインを構成するユニキャストドメインの夫々に対応する区分とされてなる付記１に記載のマルチキャストデータ通信システム。
（付記３）
前記マルチキャスト情報源の位置に関する情報は、個々のマルチキャスト情報源と当該情報源からの情報を受ける端末との間に設けられ、その間のデータ転送を担うランデブーポイントとしてのデータ通信装置の位置に関する情報とされてなる付記１又は２に記載のマルチキャストデータ通信システム。
（付記４）
前記管理ルータの各々は、他の管理ルータの位置に関する情報と各々が属する分割マルチキャストドメインに属するマルチキャスト情報源の位置に関する情報とを互いに共有するために、定期的に管理ルータ間で通信を行なう構成とされてなる付記１乃至３のうちのいずれかに記載のマルチキャストデータ通信システム。
（付記５）
更に各管理ルータが共有する情報として、各々の状態に関する情報を含んでなる付記１乃至４のうちの何れかに記載のマルチキャストデータ通信システム。
（付記６）
前記管理ルータの状態に関する情報は、当該管理ルータが現に管理ルータとして機能しているか否かに関する情報よりなる付記５に記載のマルチキャストデータ通信システム。
（付記７）
前記マルチキャスト通信はＰＩＭ−ＳＭのプロトコルによるものとされてなる付記１乃至６のうちの何れかに記載のマルチキャストデータ通信システム。
（付記８）
前記管理ルータはブートストラップルータとされてなる付記７に記載のマルチキャストデータ通信システム。
（付記９）
前記マルチキャスト通信はＩＰパケットによるものとされてなる付記１乃至８の内の何れかに記載のマルチキャストデータ通信システム。
（付記１０）
マルチキャストドメインが所定の区分に分割され、当該分割によって得られた複数の分割マルチキャストドメインの各々に関する管理ルータとして割り当てられ、自己が割り当てられた分割マルチキャストドメインに属するマルチキャスト情報源の位置に関する情報を他の分割マルチキャストドメインについて管理ルータとして割り当てられたデータ通信装置との間で共有する構成とされてなるデータ通信装置。
（付記１１）
前記所定の区分は、マルチキャストドメインを構成するユニキャストドメインの夫々に対応する区分とされてなる付記１０に記載のデータ通信装置。
（付記１２）
前記マルチキャスト情報源の位置に関する情報は、個々のマルチキャスト情報源と当該情報源からの情報を受ける端末との間に設けられその間のデータ転送を担うランデブーポイントとしてのデータ通信装置の位置に関する情報よりなる付記１０又は１１に記載のデータ通信装置。
（付記１３）
他の管理ルータの位置に関する情報と各々が属する分割マルチキャストドメインに属するマルチキャスト情報源の位置に関する情報とを共有するため、定期的に他の管理ルータとの間で通信を行なう構成を有する付記１０乃至１２のうちのいずれかに記載のデータ通信装置。
（付記１４）
他の管理ルータ間で共有する情報として、更に他の管理ルータの状態に関する情報を含んでなる付記１０乃至１３のうちの何れかに記載のデータ通信装置。
（付記１５）
前記他の管理ルータの状態に関する情報は、当該管理ルータとして割り当てられたデータ通信装置が現に管理ルータとして機能しているか否かに関する情報よりなる付記１４に記載のマルチキャストデータ通信装置。
（付記１６）
前記マルチキャスト通信はＰＩＭ−ＳＭのプロトコルによるものとされてなる付記１０乃至１５のうちの何れかに記載のデータ通信装置。
（付記１７）
ブートストラップルータよりなる構成とされてなる付記１６に記載のデータ通信装置。
（付記１８）
前記マルチキャスト通信はＩＰパケットによるものとされてなる付記１０乃至１７の内の何れかに記載のデータ通信装置。
（付記１９）
マルチキャストドメインを所定の区分に分割し、当該分割によって得られた複数の分割マルチキャストドメインの各々に管理ルータを割り当て、管理ルータの各々は、各々が割り当てられた分割マルチキャストドメインに属するマルチキャスト情報源の位置に関する情報を共有する段階よりなるマルチキャストデータ通信方法。
（付記２０）
前記所定の区分は、マルチキャストドメインを構成するユニキャストドメインの夫々に対応する区分とされてなる付記１９に記載のマルチキャストデータ通信方法。
（付記２１）
前記マルチキャスト情報源の位置に関する情報は、個々のマルチキャスト情報源と当該情報源からの情報を受ける端末との間に設けられその間のデータ転送を担うランデブーポイントとしてのデータ通信装置の位置に関する情報とされてなる付記１９又は２０に記載のマルチキャストデータ通信方法。
（付記２２）
前記管理ルータの各々が、他の管理ルータの位置に関する情報と各々が属する分割マルチキャストドメインに属するマルチキャスト情報源の位置に関する情報とを互いに共有するため定期的に管理ルータ間で通信を行なう段階を実行する構成とされてなる付記１９乃至２１のうちのいずれかに記載のマルチキャストデータ通信方法。
（付記２３）
更に各管理ルータが共有する情報として、各々の状態に関する情報を含んでなる付記１９乃至２２のうちの何れかに記載のマルチキャストデータ通信方法。
（付記２４）
前記管理ルータの状態は、当該管理ルータが現に管理ルータとして機能しているか否かに関する情報よりなる付記２３に記載のマルチキャストデータ通信方法。
（付記２５）
前記マルチキャスト通信はＰＩＭ−ＳＭのプロトコルによるものとされてなる付記１９乃至２４のうちの何れかに記載のマルチキャストデータ通信方法。
（付記２６）
前記管理ルータはブートストラップルータよりなる構成としてなる付記２５に記載のマルチキャストデータ通信方法。
（付記２７）
前記マルチキャスト通信はＩＰパケットによるものとされてなる付記１９乃至２６の内の何れかに記載のマルチキャストデータ通信方法。
（付記２８）
データ通信装置を制御するコンピュータに実行させる命令よりなるプログラムであって、当該データ通信装置が、マルチキャストドメインが所定の区分毎に分割され当該分割によって得られた複数の分割マルチキャストドメインの各々に関する管理ルータとして割り当てられた際、自己が割り当てられた分割マルチキャストドメインに属するマルチキャスト情報源の位置に関する情報を共有する段階をコンピュータに実行させるための命令よりなるプログラム。
（付記２９）
前記所定の区分は、マルチキャストドメインを構成するユニキャストドメインの夫々に対応する区分とされてなる付記２８に記載のプルグラム。
（付記３０）
前記マルチキャスト情報源の位置に関する情報を、個々のマルチキャスト情報源と当該情報源からの情報を受ける端末との間に設けられその間のデータ転送を担うランデブーポイントとしてのデータ通信装置の位置に関する情報よりなるものとしてなる付記２８又は２９に記載のプログラム。
（付記３１）
他の管理ルータの位置に関する情報と各々が属する分割マルチキャストドメインに属するマルチキャスト情報源の位置に関する情報とを互いに共有するために定期的に他の管理ルータとの間で通信を行なう段階をコンピュータに実行させる命令よりなる付記２８乃至３０の内の何れかに記載のプログラム。
（付記３２）
他の管理ルータとの間で共有する情報に、更に他の管理ルータの状態に関する情報を含むよう構成してなる付記２８乃至３１の内の何れかに記載のプログラム。
（付記３３）
他の管理ルータの状態に関する情報を、当該管理ルータとして割り当てられたデータ通信装置が現に管理ルータとして機能しているか否かに関する情報よりなるよう構成してなる付記３２に記載のプログラム。
（付記３４）
前記マルチキャスト通信はＰＩＭ−ＳＭのプロトコルによるものである付記２８乃至３３の内の何れかに記載のプログラム。
（付記３５）
前記データ通信装置はブートストラップルータよりなる付記３４に記載のプログラム。
（付記３６）
前記マルチキャスト通信はＩＰパケットによるものである付記２８乃至３５の内の何れかに記載のプログラム。
（付記３７）
付記２８乃至３６の内の何れかを記録してなるコンピュータ読取り可能な記録媒体。
【図面の簡単な説明】
【００５９】
【図１】ＰＩＭ―ＳＭのＢＳＲ方式による設定動作を説明するための図（その１）である。
【図２】ＰＩＭ―ＳＭのＢＳＲ方式による設定動作を説明するための図（その２）である。
【図３】ＰＩＭ―ＳＭのＢＳＲ方式による設定動作を説明するための図（その３）である。
【図４】ＰＩＭ―ＳＭのＢＳＲ方式による設定動作を説明するための図（その４）である。
【図５】ＰＩＭ―ＳＭのＢＳＲ方式における障害発生時の動作を説明するための図（その１）である。
【図６】ＰＩＭ―ＳＭのＢＳＲ方式における障害発生時の動作を説明するための図（その２）である。
【図７】本発明の一実施例における基本的機能を説明するための機能ブロック図である。
【図８】本発明の一実施例によるＣ−ＲＰ情報配信動作の動作フローチャートである。
【図９】本発明の一実施例によるＣ−ＲＰ情報受信動作の動作フローチャートである。
【図１０】本発明の一実施例による基本的機能を説明するためのシステム全体構成図である。
【図１１】本発明の他の実施例による基本的機能を説明するためのシステム全体構成図である。
【符号の説明】
【００６０】
１１乃至１９、３１乃至３３、ＳＡ１，ＳＡ２，ＳＡ３  Ｌ３−ＳＷ、ルータ又はサーバ（データ通信装置）
５１  ＢＳＲ状態確認部
５２  ＲＰ情報配信部
５３  ＢＳＲピアテーブル部
Ｄ１，Ｄ２，Ｄ３  ＩＰユニキャストドメイン
Ｄ１１，Ｄ１２，Ｄ１３、ＤＡ，ＤＢ，ＤＣ  ＩＰ分割マルチキャストドメイン
Ｎ１  ＩＰネットワーク
Ｐ３１，Ｐ３２，Ｐ３３  ＢＳＲピア機能部
Ｔ１，Ｔ２  Ｃ−ＲＰ情報テーブル
Ｔ３  ＢＳＲピアテーブル
Ｒ１１乃至Ｒ１３  Ｃ−ＲＰ（ランデブーポイント候補）
【図１】
2005286908.tif 000003
【図２】
2005286908.tif 000004
【図３】
2005286908.tif 000005
【図４】
2005286908.tif 000006
【図５】
2005286908.tif 000007
【図６】
2005286908.tif 000008
【図７】
2005286908.tif 000009
【図８】
2005286908.tif 000010
【図９】
2005286908.tif 000011
【図１０】
2005286908.tif 000012
【図１１】
2005286908.tif 000013